(57)【要約】【課題】製造コストを低減しつつ、電子機器の小型化に対応可能な端子台を得る。【解決手段】電源装置１０の筐体１２の一端側に、入出力端となる端子が集められた端子台１６が配置される。端子台１６の本体部分となる本体部１８に配置された各導電板２０の一端側部分に、複数のネジ２２Ａ、２２Ｂがそれぞれねじ止めされる。これらネジ２２Ａ、２２Ｂの内の右側から７個目及び８個目のネジ２２ＢのみがＭ４のサイズとされ、他のネジとなるネジ２２ＡがＭ３のサイズとされる。これに伴い、間隔寸法が２種類混在する形で壁部１８Ａが、ネジ２２Ａ、２２Ｂの間をそれぞれ仕切るように配置される。【選択図】  図１
2004247066.tif 000002
【特許請求の範囲】
【請求項１】
一体的に本体部が形成されると共に、この本体部に複数のネジがねじ止めされる端子台であって、
一体的な本体部に、サイズの異なるネジが混在してねじ止めされたことを特徴とする端子台。
【請求項２】
一体的に本体部が形成されると共に、この本体部に複数のネジがねじ止めされる端子台であって、
一体的な本体部に、ネジ間をそれぞれ仕切る複数の壁部が形成され、これら複数の壁部の間隔寸法が複数種類混在していることを特徴とする端子台。
【請求項３】
一体的に本体部が形成されると共に、この本体部に複数のネジがねじ止めされる端子台を用いた電源装置であって、
一体的な本体部に、サイズの異なるネジが混在してねじ止めされたことを特徴とする電源装置。
【請求項４】
一体的に本体部が形成されると共に、この本体部に複数のネジがねじ止めされる端子台を用いた電源装置であって、
一体的な本体部に、ネジ間をそれぞれ仕切る複数の壁部が形成され、これら複数の壁部の間隔寸法が複数種類混在していることを特徴とする電源装置。
【発明の詳細な説明】
【０００１】
【発明の属する技術分野】
本発明は、製造コストを低減しつつ電子機器の小型化に対応可能な端子台及び、この端子台を用いた電源装置に係り、例えば、端子台を小型化したものである。
【０００２】
【従来の技術】
電子機器の一種として外部の装置類に電力を供給する為の電源装置があり、このような電源装置等の構造として、その内部に設置された電子部品に作動電流を入力する為の端子や、外部の装置類に電力を出力する為の端子を集めた端子台を有するものが、一般的であった。
【０００３】
また、電源装置の入出力端となる端子が集められた端子台としては、特許文献１に開示された図１０及び図１１に示すような構造のものが知られている他に、図１２に示す各部分を一体的に組み合わせることで、合成樹脂製の本体部１２０及び、この本体部１２０にそれぞれ取り付けられたネジ１２２Ａ、１２２Ｂやワッシャ１２４等で構成されるようなものが考えられる。
【０００４】
すなわち、電流容量の相違から、特許文献１のように複数のネジ１１２の間を導電性の連結部材１１４で連結することで、端子間を接合して大きな電流容量に対応可能とした構造とするか、或いは端子一極当たりのネジのサイズを図１２に示すネジ１２２Ａ、１２２Ｂのように異ならせたものを混在して、大きな電流容量に対応可能とした構造とするかの選択が、必要であった。
【０００５】
また、図１２に示す構造では、ネジの相互間を絶縁する為に、ネジ同士の間を仕切る壁部１２６が、本体部１２０にそれぞれ設けられているだけでなく、サイズが異なったネジ１２２Ａ、１２２Ｂが混在していることから、それぞれのネジのサイズに合わせた端子台構成部材１２８Ａ、１２８Ｂを組み合わせて端子台とした形になり、図１２に示す従来例では三体構造となっていた。
【０００６】
【特許文献１】
特開平１１−１１１３５３号公報
【０００７】
【発明が解決しようとする課題】
しかし、昨今の電源装置等の電子機器では、小型化及び高密度化が進んだことから、図１２に示すネジのサイズが異なる複数の端子台構成部材１２８Ａ、１２８Ｂを組み合わせて端子台としたのでは、壁部１２６が重複して存在する箇所が生じる関係から端子台の小型化が図れず、電子機器の小型化に対応できない欠点が生じる。さらに、図１２に示す各部分を組み合わせるような三体構造では、それぞれの端子台構成部材１２８Ａ、１２８Ｂを別個に製造し、これらを組み合わせる必要が生じる結果として、製造コストが増大する虞もあった。
【０００８】
本発明は上記事実を考慮し、製造コストを低減しつつ、電子機器の小型化に対応可能な端子台及び、この端子台を用いた電源装置を提供することを目的とする。
【０００９】
【課題を解決するための手段】
請求項１による端子台は、一体的に本体部が形成されると共に、この本体部に複数のネジがねじ止めされる端子台であって、
一体的な本体部に、サイズの異なるネジが混在してねじ止めされたことを特徴とする。
【００１０】
請求項１に係る端子台の作用を以下に説明する。
本請求項に係る端子台は、複数のネジが、一体的に形成された本体部にねじ止めされるものの、異なるサイズのネジがこの本体部に混在してねじ止めされた構成を有している。
【００１１】
従って、電流容量の相違に合わせ、サイズが異なる複数種類のネジを、一体的に形成された本体部にそれぞれねじ止めし、それぞれ端子とすることができるので、これらネジ同士間を仕切るための壁部が端子台に重複して存在しないようになった。この為、壁部が重複しない分だけ端子台の小型化が図れるのに伴い、電源装置等の電子機器の小型化に対応できるようになった。
【００１２】
また、端子台の本体部を一体的な構造としたので、端子台構成部材をそれぞれ別個に製造して組み合わせる必要がなくなり、端子台の製造コストが低減されるようにもなった。
以上より、本請求項の端子台によれば、製造コストを低減しつつ、電子機器の小型化に対応可能になった。
【００１３】
請求項２による端子台は、一体的に本体部が形成されると共に、この本体部に複数のネジがねじ止めされる端子台であって、
一体的な本体部に、ネジ間をそれぞれ仕切る複数の壁部が形成され、これら複数の壁部の間隔寸法が複数種類混在していることを特徴とする。
【００１４】
請求項２に係る端子台の作用を以下に説明する。
本請求項に係る端子台は、複数のネジが、一体的に形成された本体部にねじ止めされ、複数のネジの間をそれぞれ仕切る複数の壁部がこの本体部に形成されているものの、壁部間の間隔寸法が複数種類混在する形で、これら複数の壁部がこの一体的な本体部に形成された構成を有している。
【００１５】
従って、電流容量の相違に合わせ、サイズが異なる複数種類のネジを、一体的に形成された本体部にそれぞれねじ止めし、それぞれ端子とするだけでなく、これらネジ同士間をそれぞれ仕切るための複数の壁部が、この本体部に形成されている。そして、壁部間の間隔寸法が複数種類混在する形で、これら複数の壁部がこの一体的な本体部に形成される結果として、図１２に示す従来例の構造と異なって、壁部が端子台に重複して存在しないようになった。この為、請求項１と同様に、壁部が重複しない分だけ端子台の小型化が図れるのに伴い、電源装置等の電子機器の小型化に対応できるようになった。
【００１６】
また、請求項１と同様に、端子台の本体部を一体的な構造としたので、端子台構成部材をそれぞれ別個に製造して組み合わせる必要がなくなり、端子台の製造コストが低減されるようにもなった。
以上より、本請求項の端子台によれば請求項１と同様に、製造コストを低減しつつ、電子機器の小型化に対応可能になった。
【００１７】
請求項３による電源装置は、一体的に本体部が形成されると共に、この本体部に複数のネジがねじ止めされる端子台を用いた電源装置であって、
一体的な本体部に、サイズの異なるネジが混在してねじ止めされたことを特徴とする。
【００１８】
請求項３に係る電源装置の作用を以下に説明する。
本請求項に係る電源装置は、一体的に形成された本体部に複数のネジがねじ止めされる端子台を用いているが、異なるサイズのネジがこの端子台の本体部に混在してねじ止めされた構成を有している。
【００１９】
従って、請求項１と同様の端子台を用いたので、ネジ同士間を仕切るための壁部が端子台に重複して存在しないようになり、端子台の小型化が図れるのに伴い電源装置の小型化を図れるようになった。また、端子台の本体部を一体的な構造としたので、請求項１と同様に端子台の製造コストが低減され、これに伴って電源装置の製造コストも低減されるようになった。
以上より、本請求項によれば、製造コストを低減しつつ、電源装置の小型化を図れるようになった。
【００２０】
請求項４による電源装置は、一体的に本体部が形成されると共に、この本体部に複数のネジがねじ止めされる端子台を用いた電源装置であって、
一体的な本体部に、ネジ間をそれぞれ仕切る複数の壁部が形成され、これら複数の壁部の間隔寸法が複数種類混在していることを特徴とする。
【００２１】
請求項４に係る電源装置の作用を以下に説明する。
本請求項に係る電源装置は、一体的に形成された本体部に複数のネジがねじ止めされる端子台を用い、これら複数のネジ間をそれぞれ仕切る複数の壁部が、この端子台の本体部に形成されているが、壁部間の間隔寸法が複数種類混在する形で、これら複数の壁部がこの一体的な本体部に形成された構成を有している。
【００２２】
従って、請求項２と同様の端子台を用いたので、ネジ同士間を仕切るための壁部が端子台に重複して存在しないようになり、端子台の小型化が図れるのに伴い電源装置の小型化を図れるようになった。また、端子台の本体部を一体的な構造としたので、請求項２と同様に端子台の製造コストが低減され、これに伴って電源装置の製造コストも低減されるようになった。
以上より、本請求項によれば請求項２と同様に、製造コストを低減しつつ、電源装置の小型化を図れるようになった。
【００２３】
【発明の実施の形態】
以下、図面を参照しつつ本発明に係る端子台及びこの端子台を用いた電源装置の第１の実施の形態を説明することにより、本発明を明らかにする。
図１から図３に示すように、本実施の形態に係る電源装置１０の直方体状に形成された外枠を金属等の筐体１２が構成しており、図示しない多数の電子部品が、この筐体１２内に配置されたプリント基板１４上に搭載されている。
【００２４】
さらに、図１から図３に示すように、この筐体１２の一端側には、この電源装置１０の入出力端となる端子が集められて細長く形成された端子台１６が配置されている。つまり、この端子台１６の本体部分となる本体部１８は、合成樹脂により一体的に形成されており、またこの本体部１８には、導電性を有した金属から成る９個の導電板２０が一列に並んでそれぞれ埋め込まれていている。
【００２５】
図４に示すように、これら導電板２０の一端側は、平面状に形成されて本体部１８の表面側に配置されており、またこの本体部１８には、本体部１８と一体的に形成される図示しない固定用の脚部が、本体部１８の下方向に向けて伸びている。さらに、これら導電板２０の他端側となる接続片部２０Ａが、本体部１８の背面側より突出すると共に下側に屈曲された形になっている。そして、これら導電板２０の接続片部２０Ａが、プリント基板１４に差し込まれると共に半田付けされて、端子台１６がプリント基板１４に固定されている。
【００２６】
一方、図４に示すように、この本体部１８に配置された各導電板２０の一端側部分には、複数である９個のネジ２２Ａ、２２Ｂが、導電性を有した金属から成るワッシャ２４を介して、それぞれねじ止めされており、これに伴って、導電板２０の一端側がワッシャ２４と対向することになる。この為、図示しない配線の端部を導電板２０とワッシャ２４との間に挟みつつ、ネジ２２Ａ、２２Ｂをねじ込むことによって、この配線の端部を導電板２０に電気的に接続しつつ固定することができる。
【００２７】
そして、本実施の形態では、これら９個のネジ２２Ａ、２２Ｂの内の図４（Ａ）（Ｂ）における右側から７個目及び８個目のネジ２２ＢのみがＭ４のサイズとされ、他のネジとなるネジ２２ＡがＭ３のサイズとされている。つまり、右側から７個目及び８個目のネジ２２Ｂは、特に電流容量が大きい端子とされ、ネジ２２Ａよりねじ径が大きくされている。尚、これに伴い右側から７個目及び８個目の導電板２０の一端側の大きさも、大きくされている。
【００２８】
他方、絶縁の為の壁部１８Ａが、複数のネジ２２Ａ、２２Ｂの間をそれぞれ仕切るように配置されると共に本体部１８の両端にも配置されることで、本体部１８に壁部１８Ａが複数である１０個形成されている。また、本実施の形態では、サイズが異なる２種類のネジ２２Ａ、２２Ｂが混在して本体部１８にねじ止めされているのに伴い、図４に示すように、右側から７個目及び８個目のネジ２２Ｂを挟む壁部１８Ａの間隔寸法Ｐ２に対して、ネジ２２Ａを挟む壁部１８Ａの間隔寸法Ｐ１が小さくされている。この為、これら複数の壁部１８Ａの間隔寸法が複数種類である２種類混在して、本体部１８に壁部１８Ａが形成されることになる。
【００２９】
尚、本実施の形態では、例えば、図４（Ａ）（Ｂ）における最右端から６個目までのネジ２２Ａ及び最左端のネジ２２Ａが、筐体１２内の電子部品に電流を供給する為の入力端、アース用の接地端及び、外部の装置類の状態を検出する為のセンサー端とされている。また、右側から７個目及び８個目のネジ２２Ｂが外部の装置類に電力を供給する為の出力端とされている。
【００３０】
次に、本実施の形態に係る端子台１６及び電源装置１０の作用を説明する。
本実施の形態に係る電源装置１０は、複数のネジ２２Ａ、２２Ｂが、一体的に形成された端子台１６の本体部１８にねじ止めされ、これら複数のネジ２２Ａ、２２Ｂの間をそれぞれ仕切る複数の壁部１８Ａがこの本体部１８に形成された構造となっている。
【００３１】
但し、本実施の形態では、電流容量の相違に合わせ、異なる２サイズのネジ２２Ａ、２２Ｂが、この一体的に形成された本体部１８に混在してねじ止めされてそれぞれ端子とされており、これに伴って、壁部１８Ａ間の２種類の間隔寸法Ｐ１、Ｐ２が混在する形で、これら複数の壁部１８Ａがこの一体的な本体部１８に形成された構造ともなっている。
【００３２】
そして、壁部１８Ａ間の間隔寸法Ｐ１、Ｐ２が２種類混在する形で、これら複数の壁部１８Ａがこの一体的な本体部１８に形成される結果として、壁部１８Ａが端子台１６に重複して存在しないようになった。この為、壁部１８Ａが重複しない分だけ端子台１６の小型化が図れるのに伴い、電源装置１０の小型化に対応できるようになる。
【００３３】
また、端子台１６の本体部１８を一体的な構造としたので、端子台構成部材をそれぞれ別個に製造して組み合わせる必要がなくなり、端子台１６の製造コストが低減されるようになった。
以上より、本実施の形態によれば、端子台１６の小型化が図れるのに伴い、電源装置１０の小型化が図れるようになる。また、端子台１６の製造コストが低減されるのに伴い、電源装置１０の製造コストが低減されるようにもなった。
【００３４】
次に、本発明に係る端子台及びこの端子台を用いた電源装置の第２の実施の形態を図５及び図６に基づき説明する。尚、第１の実施の形態で説明した部材には同一の符号を付して、重複した説明を省略する。
第１の実施の形態に係る電源装置１０では、９個のネジ２２Ａ、２２Ｂの内の右側から７個目及び８個目のネジ２２ＢがＭ４のサイズとされ、他のネジとなるネジ２２ＡがＭ３のサイズとされているのに対して、本実施の形態では、図５及び図６に示すように同じく９個のネジ２２Ａ、２２Ｂを有するものの、図６（Ａ）（Ｂ）における右側から６個目及び８個目のネジ２２ＢがＭ４のサイズとされ、他の最右端から５個目まで、７個目及び最左端のネジ２２ＡがＭ３のサイズとされている。
【００３５】
つまり、特に電流容量が大きい端子が、本実施の形態では右側から６個目及び８個目の端子を形成するネジ２２Ｂとされているものの、第１の実施の形態と同様に、製造コストを低減しつつ、電源装置１０の小型化が図れるようになる。以上より、本実施の形態によれば、ねじ径の大きなネジ２２Ｂの位置が異なっているが、第１の実施の形態と同様の作用効果が得られることになる。
【００３６】
次に、本発明に係る端子台及びこの端子台を用いた電源装置の第３の実施の形態を図７から図９に基づき説明する。尚、第１の実施の形態で説明した部材には同一の符号を付して、重複した説明を省略する。
第１の実施の形態に係る電源装置１０では、接続片部２０Ａが本体部１８の背面側に下方向に向けて伸びる形で形成されているのに対して、本実施の形態では、図７から図９に示すように、導電板２０の他端側を構成する接続片部２０Ａが、本体部１８に対して垂直に伸びるように、本体部１８の背面側に配置されている。
【００３７】
この結果として、本実施の形態では、本体部１８の表面側を図８及び図９（Ｂ）における上側に向けた状態で、導電板２０の接続片部２０Ａがプリント基板１４に差し込まれて、端子台１６がプリント基板１４に固定されることになる。この為、端子台１６のプリント基板１４に対する向きが異なるものの、本実施の形態も第１の実施の形態と同様の作用効果が得られることになる。
【００３８】
尚、上記実施の形態では、Ｍ４のサイズとされるネジ２２ＢとＭ３のサイズとされるネジ２２Ａを電流容量の相違に合わせて用いたが、これらの内のネジ２２Ｂの端子に例えば３０アンペア程度の電流が流れ、ネジ２２Ａの端子に例えば１０アンペア程度の電流が流れるようになる。但し、これらＭ４、Ｍ３のサイズ以外のサイズを用いても良く、またＭ４、Ｍ３等のネジの呼び寸法以外の寸法で、ネジのサイズを区分しても良く、さらにこれら大小のネジの位置関係を上記実施の形態以外の配置といても良い。
【００３９】
一方、上記実施の形態では、ネジのサイズに合わせて壁部の間隔寸法を異ならせたが、壁部１８Ａの間隔寸法を全て同一として、単にネジのサイズのみを異ならしても良く、また、ネジのサイズや壁部の間隔寸法は、３種類以上の複数であっても良い。他方、上記実施の形態は、電源装置を例として説明したが、他のコンピュータ等の電子機器に本発明を採用しても良い。
【００４０】
【発明の効果】
本発明の端子台及びこの端子台を用いた電源装置によれば、製造コストを低減しつつ、電源装置の小型化に対応することが可能となる。
【図面の簡単な説明】
【図１】本発明の第１の実施の形態に係る電源装置を示す斜視図である。
【図２】本発明の第１の実施の形態に係る電源装置を示す側面図である。
【図３】本発明の第１の実施の形態に係る電源装置を示す図であって、（Ａ）は平面図であり、（Ｂ）は正面図である。
【図４】本発明の第１の実施の形態に係る電源装置に用いられる端子台を示す図であって、（Ａ）は平面図であり、（Ｂ）は正面図であり、（Ｃ）は側面図である。
【図５】本発明の第２の実施の形態に係る電源装置に用いられる端子台を示す斜視図である。
【図６】本発明の第２の実施の形態に係る電源装置に用いられる端子台を示す図であって、（Ａ）は平面図であり、（Ｂ）は正面図であり、（Ｃ）は側面図である。
【図７】本発明の第３の実施の形態に係る電源装置に用いられる端子台及びプリント基板を示す斜視図である。
【図８】本発明の第３の実施の形態に係る電源装置に用いられる端子台及びプリント基板を示す側面図である。
【図９】本発明の第３の実施の形態に係る電源装置に用いられる端子台及びプリント基板を示す図であって、（Ａ）は平面図であり、（Ｂ）は正面図である。
【図１０】第１の従来例に係る端子台を示す正面図である。
【図１１】第１の従来例に係る端子台を示す平面図である。
【図１２】第２の従来例に係る端子台を示す平面図である。
【符号の説明】
１０            電源装置
１２            筐体
１６            端子台
１８            本体部
１８Ａ          壁部
２２Ａ          ネジ
２２Ｂ          ネジ
【図１】
2004247066.tif 000003
【図２】
2004247066.tif 000004
【図３】
2004247066.tif 000005
【図４】
2004247066.tif 000006
【図５】
2004247066.tif 000007
【図６】
2004247066.tif 000008
【図７】
2004247066.tif 000009
【図８】
2004247066.tif 000010
【図９】
2004247066.tif 000011
【図１０】
2004247066.tif 000012
【図１１】
2004247066.tif 000013
【図１２】
2004247066.tif 000014